(57)【特許請求の範囲】
【請求項１】
製氷機のフレームに上方へ延びる取付け部が固定され、氷シュートの背面でそれぞれ上下方向に直線的に延び上記氷シュートの背面側へ突出する複数のリブと、隣接する上記リブに跨がって上記氷シュートの背面側から固定された板材とにより上記氷シュートの背面に上下方向の差し込み部が形成され、上記差し込み部が上記取付け部に上方から嵌められることにより、上記氷シュートが上記フレームに取り付けられるように構成された氷シュート取付け機構。
【発明の詳細な説明】
【０００１】
【発明の属する技術分野】
本発明は、製氷機において、製氷機構部で製造された氷片を下方の貯氷庫へ導く氷シュートの取付け機構に関する。
【０００２】
【従来の技術】
図１に示されているように、スタックオンタイプ製氷機１は、上部に冷凍装置２が配設されていると共に、中間位置の左右にそれぞれ製氷機構部３、３が配置され、製氷機構部３、３により製造された氷片はそれぞれ左右の氷シュート４、４で下方の貯氷庫５へ導かれるように構成されているが、従来は図６に示されているように、上記製氷機構部３、３を支持する本体フレーム６の前後方向に延びる左右の横フレーム７、８にそれぞれ板材９、９が固着され、各板材９にねじ孔１０が設けられていて、左右氷シュート４、４の縦壁をそれぞれ挿通するつまみ付きねじ１１が各ねじ孔１０にねじ込まれることにより、左右の氷シュート４、４がそれぞれ左右の横フレーム７、８に取り付けられていた。
【０００３】
しかしながら、この場合には、製氷機１の組立て設置時に氷シュート４、４をねじ１１で横フレーム７、８へそれぞれ取り付ける必要があるため、その取付け作業が面倒であると同時に、氷シュート４、４の取付けにそれだけ時間がかかる不具合があるばかりではなく、ねじ１１をねじ孔１０にねじ込む際板材９の塗膜がはがされることにより、後にその部分に錆が発生して下方の貯氷庫５へ落下し、不衛生となるおそれがあった。
また、各製氷機構部３により製造された氷片が各氷シュート４へ向かって排出されるとき、ねじ１１に衝突してねじ１１がゆるむ可能性があり、さらには、製氷機１を梱包する際に、ねじ止め前の氷シュート４、４を寝かせた状態で本体フレーム６等へテープにより固定する必要がある等の問題点があった。
【０００４】
【発明が解決しようとする課題】
本発明の目的は、製氷機のフレームに対する氷シュートの着脱が簡単で、製氷機の梱包や組立てが容易となるようにすることにある。
【０００５】
【課題を解決するための手段】
このため、本発明にかかる氷シュート取付け機構は、製氷機のフレームに上方へ延びる取付け部が固定され、氷シュートの背面でそれぞれ上下方向に直線的に延び上記氷シュートの背面側へ突出する複数のリブと、隣接する上記リブに跨がって上記氷シュートの背面側から固定された板材とにより上記氷シュートの背面に上下方向の差し込み部が形成され、上記差し込み部が上記取付け部に上方から嵌められることにより、上記氷シュートが上記フレームに取り付けられるように構成されている。
【０００６】
すなわち、氷シュートの背面に形成された差し込み部が製氷機のフレームに固定された取付け部に上方から嵌められて、氷シュートがフレームに取り付けられるので、フレームに対する氷シュートの着脱操作がきわめて容易となり、従って、製氷機の組立て作業がきわめて簡便化されると共に、製氷機の梱包時に氷シュートをフレームに取り付けた状態で出荷することが可能となって、製氷機出荷時における付属部品点数を低減させることができ、また、従来のようにねじ類を使用することがないため、錆の発生するおそれを確実に解消することができる。
また、上記氷シュートの背面にそれぞれ上下方向に直線的に延びる複数のリブが形成されているので、氷シュートの剛性を高めることができる。
【０００７】
【発明の実施の形態】
以下、本発明の実施形態例について、前記従来装置との同等部分にはそれぞれ同一符号を付けて説明する。
図１のスタックオンタイプ製氷機１において、図２〜図５に示されているように、上部に冷凍装置２が配設されて左右にそれぞれ製氷機構部を支持する本体フレーム６は、それぞれ前後方向に延びる左右の横フレーム７、８と、それぞれ左右方向に延びる前後フレーム１２、１２とを有し、左横フレーム７における前後方向中央付近の縦壁左側面に、上方へ延びる平板状の取付け部１３が固定されていると共に、右横フレーム８における前後方向中央付近の横壁上面に、断面略Ｌ字状の板材１４が固定されて、板材１４により上方へ延びる平板状取付け部１５が構成されている。
【０００８】
また、各製氷機構部で製造された氷片を下方の貯氷庫５へ導く左右の氷シュート１６、１７は、それぞれ前後方向に連続して凹凸し、かつ、上下方向に直線的に延びる複数のリブ１８が形成され、前後方向の中央付近で、それぞれ図２の右方へ突出する隣接リブ１８、１８の右側面に跨がって平板１９が固定されており、上記リブ１８、１８間で図２の左方へ突出するリブ１８の背面と平板１９との間には、上下方向に延びる差し込み部２０、２１がそれぞれ形成されている。
【０００９】
さらに、左側氷シュート１６の差し込み部２０が左横フレーム７に固定された取付け部１３へ上方から嵌められて、左側氷シュート１６が左横フレーム７へ着脱自在に取り付けられている一方、右側氷シュート１７における両側耳部２２がそれぞれ前後フレーム１２、１２の上面に載置されると共に、右側氷シュート１７の差し込み部２１が右横フレーム８に構成された取付け部１５へ上方から嵌められて、右側氷シュート１７が右横フレーム８へ着脱自在に取り付けられている。
【００１０】
すなわち、左右の氷シュート１６、１７は、それぞれの差し込み部２０、２１がそれぞれ横フレーム７、８の取付け部１３、１５へ単に上方から嵌められて、それぞれ横フレーム７、８に取り付けられており、左右氷シュート１６、１７の着脱がきわめて容易であるので、製氷機１の組立て作業がきわめて簡便化され、かつ、製氷機の設置に際し必要に応じて左右氷シュート１６、１７を簡単に取り外すことが可能であるため、製氷機１の梱包時に左右氷シュート１６、１７をそれぞれ横フレーム７、８に取り付けた状態で出荷でき、従って、製氷機１の出荷時における付属部品点数を低減させることができて、梱包作業をそれだけ簡略化することができる。
【００１１】
また、左右の氷シュート１６、１７をそれぞれ横フレーム７、８に取り付ける場合に、従来のようにねじ類を使用することがないため、錆が発生するおそれを確実に解消して、貯氷庫５内を衛生的に保持できると共に、各製氷機構部から排出された氷片がねじ類に衝突して、それらをゆるませるといった不具合も全くない長所がある。
【００１２】
さらに、左右氷シュート１６、１７の差し込み部２０、２１がそれぞれ左右氷シュート１６、１７の背面側に設けられていて、各製氷機構部から排出された氷片が差し込み部２０、２１に衝突することは全くないため、これらの氷片によって差し込み部２０、２１が破損することもなく、製氷機１の保守を良好とすることができる。
【００１３】
また、左右の氷シュート１６、１７はそれぞれ複数のリブ１８が形成されて、剛性が高められているので、氷シュート１６、１７を比較的薄肉として、製氷機１の軽量化及びコスト低減を図ることができる。
【００１４】
【発明の効果】
本発明にかかる氷シュート取付け機構にあっては、氷シュートの背面に形成された差し込み部が製氷機のフレームに固定された取付け部に上方から嵌められて、氷シュートがフレームに取り付けられ、フレームに対する氷シュートの着脱操作がきわめて容易となるので、製氷機の組立て作業がきわめて簡便化されると共に、製氷機の梱包時に氷シュートをフレームに取り付けた状態で出荷することが可能となって、製氷機の出荷時における付属部品点数を低減させ、梱包作業をそれだけ簡略化することができる。
また、上記氷シュートの背面にそれぞれ上下方向に直線的に延びる複数のリブが形成されて、氷シュートの剛性が高められているので、氷シュートを比較的薄肉として、その軽量化及びコスト低減を図ることができる。
【図面の簡単な説明】
【図１】本発明の実施形態例における正面図。
【図２】上記実施形態例の要部斜視図。
【図３】上記実施形態例の一部正面図。
【図４】図２のＩＶ−ＩＶ縦断面拡大図。
【図５】図２のＶ−Ｖ縦断面拡大図。
【図６】従来装置の要部斜視図。
【符号の説明】
１    製氷機
６    本体フレーム
７、８  横フレーム
１３、１５  取付け部
１６、１７  氷シュート
１８  リブ
１９  平板
２０、２１  差し込み部
【図１】
0003568406.tif 000002
【図２】
0003568406.tif 000003
【図３】
0003568406.tif 000004
【図４】
0003568406.tif 000005
【図５】
0003568406.tif 000006
【図６】
0003568406.tif 000007